(57)【要約】【課題】良好な耐久性を有する真空ダイカスト装置および真空ダイカスト装置の耐久性を向上させ得る真空ダイカスト方法を提供する。【解決手段】成形品の外形形状に対応するキャビティ１１１，１１６を有する第１および第２金型１１０，１１５、第１および第２金型を型締めするため型締め手段１２０、成形品を構成する溶湯Ｍをキャビティの内部に射出するための射出手段１３０、溶湯を保持している保持炉１４０、保持炉の溶湯を射出手段に導入するための給湯管１５０、および、型締め完了前において、キャビティの内部の空気を補助吸引することにより、空気が、射出手段を経由して給湯管および保持炉に逆流することを抑制し、かつ、型締め完了後において、キャビティの内部の空気を本吸引することにより、保持炉の溶湯を、給湯管を経由して射出手段に供給するための減圧手段１６０を有する。【選択図】図１
2008296276.tif 000002
【特許請求の範囲】
【請求項１】
成形品の外形形状に対応するキャビティを有する第１および第２金型、
前記第１および第２金型を型締めするため型締め手段、
前記成形品を構成する溶湯を前記キャビティの内部に射出するための射出手段、
前記溶湯を保持している保持炉、
前記保持炉の溶湯を前記射出手段に導入するための給湯管、および、
型締め完了前において、前記キャビティの内部の空気を補助吸引することにより、前記空気が、前記射出手段を経由して前記給湯管および前記保持炉に逆流することを抑制し、かつ、型締め完了後において、前記キャビティの内部の空気を本吸引することにより、前記保持炉の溶湯を、前記給湯管を経由して前記射出手段に供給するための減圧手段
を有することを特徴とする真空ダイカスト装置。
【請求項２】
前記減圧手段を制御するための制御手段を有し、
前記制御手段は、補助吸引の際に、前記保持炉の溶湯が、前記給湯管を経由して前記射出手段に供給されないように、前記減圧手段を制御することを特徴とする請求項１に記載の真空ダイカスト装置。
【請求項３】
経過時間を検出するためのタイマー手段を有し、
前記制御手段は、前記経過時間に基づいて、前記減圧手段を制御することを特徴とする請求項２に記載の真空ダイカスト装置。
【請求項４】
前記経過時間は、型締め開始が基準時であることを特徴とする請求項３に記載の真空ダイカスト装置。
【請求項５】
前記型締め手段は、前記第２金型を前記第１金型に向かって近接離間自在に駆動するための往復動手段を有し、
前記真空ダイカスト装置は、前記往復動手段のストロークを検出するためのストローク検出手段を有し、
前記制御手段は、前記ストロークに基づいて、前記減圧手段を制御することを特徴とする請求項２に記載の真空ダイカスト装置。
【請求項６】
前記キャビティの内部の圧力を検出するための圧力検出手段を有し、
前記制御手段は、前記圧力に基づいて、前記減圧手段を制御することを特徴とする請求項２に記載の真空ダイカスト装置。
【請求項７】
成形品の外形形状に対応するキャビティを有する第１および第２金型の型締め完了前において、前記キャビティの内部の空気を補助吸引することにより、前記空気が、前記成形品を構成する溶湯を前記キャビティの内部に射出するための射出手段を経由して、前記溶湯を前記射出手段に導入するための給湯管および前記溶湯を保持している保持炉に、逆流することを抑制し、
型締め完了後において、前記キャビティの内部の空気を本吸引することにより、前記保持炉の溶湯を、前記給湯管を経由して前記射出手段に供給する
ことを特徴とする真空ダイカスト方法。
【請求項８】
前記補助吸引は、型締め完了直前に停止されることを特徴とする請求項７に記載の真空ダイカスト方法。
【請求項９】
前記補助吸引は、前記保持炉の溶湯が、前記給湯管を経由して前記射出手段に供給されないように、制御されることを特徴とする請求項７又は請求項８に記載の真空ダイカスト方法。
【請求項１０】
前記補助吸引は、経過時間に基づいて、制御されることを特徴とする請求項９に記載の真空ダイカスト方法。
【請求項１１】
前記経過時間は、型締め開始が基準時であることを特徴とする請求項１０に記載の真空ダイカスト方法。
【請求項１２】
前記補助吸引は、前記第２金型を前記第１金型に向かって近接離間自在に駆動するための往復動手段のストロークに基づいて、制御されることを特徴とする請求項９に記載の真空ダイカスト方法。
【請求項１３】
前記補助吸引は、前記キャビティの内部の圧力に基づいて、制御されることを特徴とする請求項９に記載の真空ダイカスト方法。
【発明の詳細な説明】
【技術分野】
【０００１】
本発明は、真空ダイカスト装置および真空ダイカスト方法に関する。
【背景技術】
【０００２】
真空ダイカストにおいては、金型を型締めした後、金型のキャビティ内部を減圧することで、溶湯が、保持炉から給湯管および射出手段を経由して、キャビティ内部に供給される（例えば、特許文献１参照。）。
【特許文献１】特開２００３−１３９１号公報
【発明の開示】
【発明が解決しようとする課題】
【０００３】
しかし、型締め開始から型締め完了までの間において、キャビティ内部の余分な空気が、射出手段および給湯管を経由し、保持炉に逆流する。空気は常温であるため、昇温されている給湯管を急冷したり、保持炉内部の溶湯と接触することで、急激に膨張し、溶湯を飛散させたりすることで、給湯管などの周辺機器および保持炉の耐久性を低下させる問題を有する。
【０００４】
本発明は、上記従来技術に伴う課題を解決するためになされたものであり、良好な耐久性を有する真空ダイカスト装置および真空ダイカスト装置の耐久性を向上させ得る真空ダイカスト方法を提供することを目的とする。
【課題を解決するための手段】
【０００５】
上記目的を達成するための請求項１に記載の発明は、
成形品の外形形状に対応するキャビティを有する第１および第２金型、
前記第１および第２金型を型締めするため型締め手段、
前記成形品を構成する溶湯を前記キャビティの内部に射出するための射出手段、
前記溶湯を保持している保持炉、
前記保持炉の溶湯を前記射出手段に導入するための給湯管、および、
型締め完了前において、前記キャビティの内部の空気を補助吸引することにより、前記空気が、前記射出手段を経由して前記給湯管および前記保持炉に逆流することを抑制し、かつ、型締め完了後において、前記キャビティの内部の空気を本吸引することにより、前記保持炉の溶湯を、前記給湯管を経由して前記射出手段に供給するための減圧手段
を有することを特徴とする真空ダイカスト装置である。
【０００６】
上記目的を達成するための請求項７に記載の発明は、
成形品の外形形状に対応するキャビティを有する第１および第２金型の型締め完了前において、前記キャビティの内部の空気を補助吸引することにより、前記空気が、前記成形品を構成する溶湯を前記キャビティの内部に射出するための射出手段を経由して、前記溶湯を前記射出手段に導入するための給湯管および前記溶湯を保持している保持炉に、逆流することを抑制し、
型締め完了後において、前記キャビティの内部の空気を本吸引することにより、前記保持炉の溶湯を、前記給湯管を経由して前記射出手段に供給する
ことを特徴とする真空ダイカスト方法である。
【発明の効果】
【０００７】
請求項１に記載の発明によれば、減圧手段によって、型締め完了前において、第１および第２金型のキャビティ内部の空気を補助吸引することにより、空気が、給湯管および保持炉に逆流することを、抑制することが可能である。したがって、逆流する常温の空気によって、昇温されている給湯管を急冷したり、保持炉内部の溶湯と接触することで、急激に膨張し、溶湯を飛散させたりすることで、給湯管などの周辺機器および保持炉の耐久性を低下させることが、避けられる。つまり、良好な耐久性を有する真空ダイカスト装置を提供することができる。
【０００８】
請求項７に記載の発明によれば、型締め完了前において補助吸引することにより、第１および第２金型のキャビティ内部の空気が、給湯管および保持炉に逆流することが抑制される。したがって、逆流する常温の空気によって、昇温されている給湯管を急冷したり、保持炉内部の溶湯と接触することで、急激に膨張し、溶湯を飛散させたりすることで、給湯管などの周辺機器および保持炉の耐久性を低下させることが、避けられる。つまり、真空ダイカスト装置の耐久性を向上させ得る真空ダイカスト方法を提供することできる。
【発明を実施するための最良の形態】
【０００９】
以下、本発明の実施の形態を、図面を参照しつつ説明する。
【００１０】
図１は、実施の形態１に係る真空ダイカスト装置を説明するための部分破断斜視図、図２は、実施の形態１に係る補助吸引を説明するためのグラフである。
【００１１】
真空ダイカスト装置１００は、固定型（第１金型）１１０、可動型（第２金型）１１５、型締め手段１２０、射出手段１３０、保持炉１４０、給湯管１５０、減圧手段１６０および制御手段１８０を有する。
【００１２】
固定型１１０および可動型１１５は、成形品の外形形状に対応するキャビティ１１１，１１６を有し、プラテン１１３，１１８に着脱自在に固定されている。成形品は、例えば、自動車の車体部品およびサスペンション部品である。車体部品は、例えば、ピラー、ルーフ、スペースフレームの接手部である。サスペンション部品は、サスペンションアーム、サブフレーム、サスペンションのリンク部品、エンジンクレードルである。キャビティ１１１，１１６に射出される溶湯Ｍは、例えば、アルミニウム合金である。アルミニウム合金は、車両の軽量化の点で好ましい。
【００１３】
型締め手段１２０は、固定型１１０および可動型１１５を型締めするために使用され、可動型１１５を固定型１１０に向かって近接離間自在に駆動するための往復動手段を有する。往復動手段は、例えば、油圧シリンダからなり、可動型１１５を固定しているプラテン１１８に連結されている。
【００１４】
射出手段１３０は、成形品を構成する溶湯Ｍをキャビティ１１１，１１６の内部に射出するために使用され、射出スリーブ１３２、射出チップ１３４、ピストンロッド１３６および真空チャンバ１３８を有する。
【００１５】
射出スリーブ１３２は、固定型１１０が固定されているプラテン１１３に支持され、かつ、その先端１３３が、固定型１１０のキャビティ１１１に連通しており、成形品を構成する溶湯Ｍを一時的に保持するために使用される。射出チップ１３４は、射出スリーブ１３２の内部に進退移動自在に挿入されている。射出チップ１３４と射出スリーブ１３２との間には、熱膨張等を考慮して、例えば、０．０５〜０．５ｍｍ程度のクリアランスが確保されている。
【００１６】
ピストンロッド１３６は、射出チップ１３４より小径であり、射出チップ１３４の後方に固定され、往復動手段（不図示）によって駆動される。したがって、ピストンロッド１３６を往動させる場合、射出チップ１３４は、射出スリーブ１３２の内部を、固定型１１０のキャビティ１１１に向かって前進するため、射出スリーブ１３２に保持される溶湯Ｍを、キャビティ１１１，１１６の内部に射出することが可能である。なお、射出チップ１３４およびピストンロッド１３６の内部に冷媒流路を形成し、射出チップ１３４を強制冷却することも好ましい。
【００１７】
真空チャンバ１３８は、射出スリーブ１３２の後端部に同心状に配置され、かつ、減圧手段１６０から延長する配管系（不図示）に接続されており、溶湯Ｍの射出の際における、射出スリーブ１３２の後端部およびシール部材（不図示）の熱的条件を緩和するために使用される。
【００１８】
これにより、耐熱性が比較的低いが、良好なシール性を有するシール部材、例えば、ニトリルゴムやフッ素ゴム等のゴムパッキを適用することで、安定した真空状態を維持することが可能である。真空チャンバ１３８の容量は、断熱効果、周辺機器との干渉、減圧状態にするための必要時間などを考慮し、適宜設定することが好ましい。
【００１９】
保持炉１４０は、溶湯Ｍの温度を維持するための加熱手段１４２を有しており、溶湯Ｍが凝固しない状態で保持している。加熱手段１４２は、例えば、ヒータである。保持炉１４０の温度は、溶湯Ｍがアルミニウム合金の場合、例えば、７００℃である。
【００２０】
給湯管１５０は、射出スリーブ１３２の後端部に固定される一端および保持炉１４０の溶湯Ｍの内部に達している他端を有しており、保持炉１４０の溶湯Ｍを射出スリーブ１３２（射出手段１３０）に導入するために使用される。給湯管１５０の外周には、温度を維持するための加熱手段（不図示）が配置される。なお、符号１５２は、給湯管１５０の一端を射出スリーブ１３２の後端部に固定するための固定治具であり、例えば、保持ブラケットおよび止めねじから構成される。
【００２１】
減圧手段１６０は、真空ポンプ１６２、バッファ真空タンク１６４および配管系１７０を有しており、型締め完了前において、キャビティ１１１，１１６の内部の空気を補助吸引することにより、空気が、射出スリーブ１３２を経由して給湯管１５０および保持炉１４０に逆流することを抑制し、かつ、型締め完了後において、キャビティ１１１，１１６の内部の空気を本吸引することにより、保持炉１４０の溶湯Ｍを、給湯管１５０を経由して射出スリーブ１３２に供給するために使用される。
【００２２】
したがって、逆流する常温の空気によって、昇温されている給湯管を急冷したり、保持炉内部の溶湯と接触することで、急激に膨張し、溶湯を飛散させたりすることで、給湯管などの周辺機器および保持炉の耐久性を低下させることが、避けられる。
【００２３】
真空ポンプ１６２は、特に限定されないが、例えば、ピストンポンプなどの往復式や、油回転ポンプなどの回転式の機械的ポンプである。バッファ真空タンク１６４は、真空ポンプ１６２と配管系１７０との間に配置されており、安定した真空状態を維持するために使用される。
【００２４】
配管系１７０は、キャビティ１１１，１１６の内部の空気を補助吸引および本吸引するために、固定型１１０および可動型１１５のキャビティ１１１，１１６まで延長しており、途中に、配管開閉手段１７２，１７４が配置されている。配管開閉手段１７２は、例えば、電磁バルブからなり、真空ポンプ１６２およびバッファ真空タンク１６４との接続（連通）を解除することで、配管系１７０をリリースすることが可能である。配管開閉手段１７４は、例えば、真空バルブからなり、配管開閉手段１７２とキャビティ１１１，１１６との間の配管途中に配置され、かつ、キャビティ１１１，１１６の近傍に位置している。
【００２５】
したがって、配管開閉手段１７２および配管開閉手段１７４を「開」の状態に設定することで、バッファ真空タンク１６４とキャビティ１１１，１１６の内部が連通し、キャビティ１１１，１１６の内部の空気を補助吸引および本吸引することが可能となる。
【００２６】
制御手段１８０は、型締め手段１２０の往復動手段、ピストンロッド１３６の往復動手段、保持炉１４０の加熱手段１４２、給湯管１５０の加熱手段、真空ポンプ１６２および配管開閉手段１７２，１７４を制御するために使用される。
【００２７】
また、制御手段１８０は、経過時間を検出するためのタイマー手段１９０を有する。タイマー手段１９０は、補助吸引の際に、保持炉１４０の溶湯Ｍが、給湯管１５０を経由して射出スリーブ１３２に供給されないように、減圧手段１６０を制御するために使用される。つまり、制御手段１８０は、タイマー手段１９０によって検出される経過時間が、所定の値に到達すると、補助吸引を停止するように、減圧手段１６０を制御する。
【００２８】
例えば、図２に示されるように、キャビティ１１１，１１６の内部の圧力は、減圧経過時間に応じて低下し、到達した圧力に応じて、溶湯の逆流開始および溶湯の吸引開始を引き起こす。したがって、減圧手段１６０を制御するための所定の値として、例えば、溶湯の逆流開始を引き起こす圧力より若干大きな圧力に到達するまでの経過時間を、適用することが可能である。なお、経過時間は、型締め開始を基準時として検出される。
【００２９】
次に、実施の形態１に係る真空ダイカスト方法を説明する。
【００３０】
図３および図４は、図１に示される真空ダイカスト装置の制御フローを説明するためのブロック図およびグラフである。
【００３１】
実施の形態１に係る真空ダイカスト方法においては、配管開閉手段１７２，１７４が「閉」に設定された状態で、真空ポンプ１６２が稼働される。そして、配管開閉手段１７２，１７４が順次「開」に設定され、補助減圧が開始される。
【００３２】
型締め手段１２０の往復動手段によって、可動型１１５が固定されるプラテン１１８を固定型１１０に向かって駆動することで、可動型１１５は、固定型１１０に向かって前進し、型締めが開始される。また、制御手段１８０のタイマー手段１９０が、型締め開始を基準時としてスタートし、経過時間の検出を開始する。
【００３３】
この際、補助減圧により、固定型１１０および可動型１１５のキャビティ１１１，１１６の内部の空気が補助吸引されることにより、当該空気が、射出スリーブ１３２を経由して給湯管１５０および保持炉１４０に逆流することが抑制される。したがって、逆流する常温の空気によって、昇温されている給湯管１５０を急冷したり、保持炉１４０の内部の溶湯Ｍと接触することで、急激に膨張し、溶湯を飛散させたりすることで、給湯管１５０などの周辺機器および保持炉１４０の耐久性を低下させることが、避けられる。
【００３４】
タイマー手段１９０によって検出される経過時間が、所定の値に到達すると、配管開閉手段１７４が「閉」に設定され、補助減圧が停止される。これにより、キャビティ１１１，１１６の内部の圧力が、過度に低下することが抑制される。つまり、保持炉１４０の溶湯Ｍが、給湯管１５０を経由して射出スリーブ１３２に供給されないように、制御される。
【００３５】
そして、可動型１１５が型締め限に到達し、型締めが完了すると、配管開閉手段１７４が「開」に切り替えられ、本減圧が開始される。本減圧においては、キャビティ１１１，１１６の内部の空気が本吸引されることにより、保持炉１４０の溶湯Ｍの吸引が開始され、給湯管１５０を経由し、射出スリーブ１３２に導入される。
【００３６】
射出スリーブ１３２の内部の溶湯Ｍが、成形品を形成するための所定量に到達すると、ピストンロッド１３６が駆動される。ピストンロッド１３６の前方に配置される射出チップ１３４は、キャビティ１１１，１１６の内部に向かって溶湯Ｍを射出し、成形品が鋳造される。
【００３７】
図５は、図１に示される真空ダイカスト装置における本減圧経過時間と溶湯吸引量との関係を示しているグラフ、図６は、比較例に係る制御フローを説明するためのブロック図、図７は、比較例における減圧経過時間と溶湯吸引量との関係を示しているグラフである。なお、比較例は、図６に示されるように、補助減圧（補助吸引）以外の点で、実施の形態１と略同一である。
【００３８】
実施の形態１においては、本減圧の前において、補助減圧により、キャビティ１１１，１１６の内部の余分な空気が除去されている。したがって、比較例に比較し、キャビティ１１１，１１６の内部の圧力を低下させるための所要時間を、短縮化し、サイクルタイムを改善することが可能である（図５および図７参照）。
【００３９】
以上のように、実施の形態１は、良好な耐久性を有する真空ダイカスト装置および真空ダイカスト装置の耐久性を向上させ得る真空ダイカスト方法を提供することが可能である。
【００４０】
なお、制御手段１８０のタイマー手段１９０における経過時間は、型締め開始を基準時とする形態に限定されない。また、減圧手段１６０を、２系列設け、補助減圧用の減圧手段および本減圧用の減圧手段として、独立させることも可能である。
【００４１】
図８は、実施の形態２に係る真空ダイカスト装置を説明するための部分破断斜視図、図９は、実施の形態２に係る制御フローを説明するためのブロック図、図１０は、実施の形態２に係る補助吸引を説明するためのグラフである。なお、実施の形態１と同様の機能を有する部材については類似する符号を使用し、重複を避けるため、その説明を省略する。
【００４２】
実施の形態２は、補助吸引の際における減圧手段の制御に適用されるパラメータとして、型締め手段の往復動手段のストロークを利用する点で、タイマー手段１９０によって検出される経過時間を利用する実施の形態１と概して異なる。
【００４３】
詳述すると、真空ダイカスト装置２００は、例えば、変位センサあるいは測長センサからなるストローク検出手段２９０を有する。ストローク検出手段２９０は、型締め手段２２０に配置されており、可動型２１５を固定型２１０に向かって近接離間自在に駆動するための往復動手段のストロークを検出するために使用される。
【００４４】
ストローク検出手段２９０の検出値は、補助吸引の際に、保持炉２４０の溶湯Ｍが、給湯管２５０を経由して射出スリーブ２３２（射出手段２３０）およびキャビティ２１１，２１６に供給されないように、減圧手段２６０を制御するために使用される。つまり、制御手段２８０は、ストローク検出手段２９０によって検出されるストロークが、所定の値に到達すると、補助吸引を停止するように、減圧手段２６０を制御する。
【００４５】
例えば、図１０に示されるように、キャビティ２１１，２１６の内部の圧力は、ストロークに応じて低下し、到達した圧力に応じて、溶湯の逆流開始および溶湯の吸引開始を引き起こす。したがって、減圧手段２６０を制御するための所定の値として、例えば、溶湯の逆流開始を引き起こす圧力より若干大きな圧力に到達するストローク値を、適用することが可能である。
【００４６】
次に、実施の形態２に係る真空ダイカスト方法を説明する。
【００４７】
配管開閉手段２７２，２７４が「閉」に設定された状態で、真空ポンプ２６２が稼働される。そして、配管開閉手段２７２，２７４が順次「開」に設定され、補助減圧が開始される。
【００４８】
型締め手段２２０の往復動手段によって、可動型２１５が固定されるプラテン２１８を固定型２１０に向かって駆動することで、可動型２１５は、固定型２１０に向かって前進し、型締めが開始される。また、型締め手段２２０に配置されるストローク検出手段２９０が、型締め手段２２０の往復動手段のストロークの検出を開始する。
【００４９】
この際、補助減圧により、固定型２１０および可動型２１５のキャビティ２１１，２１６の内部の空気が補助吸引されることにより、当該空気が、射出スリーブ２３２を経由して給湯管２５０および保持炉２４０に逆流することが抑制される。
【００５０】
ストローク検出手段２９０によって検出されるストロークが、所定の値に到達すると、配管開閉手段２７４が制御されて、「閉」に設定され、補助減圧が停止される。これにより、キャビティ２１１，２１６の内部の圧力が、過度に低下しないように制御される。つまり、保持炉２４０の溶湯Ｍが、給湯管２５０を経由して射出スリーブ２３２およびキャビティ２１１，２１６の内部に供給されないように、制御される。
【００５１】
そして、可動型２１５が型締め限に到達し、型締めが完了すると、配管開閉手段２７４が「開」に切り替えられ、本減圧が開始される。本減圧においては、キャビティ２１１，２１６の内部の空気が本吸引されることにより、保持炉２４０の溶湯Ｍの吸引が開始され、給湯管２５０を経由し、射出スリーブ２３２に導入される。
【００５２】
射出スリーブ２３２の内部の溶湯Ｍが、成形品を形成するための所定量に到達すると、ピストンロッド２３６が駆動される。ピストンロッド２３６の前方に配置される射出チップ２３４は、キャビティ２１１，２１６の内部に向かって溶湯Ｍを射出し、成形品が鋳造される。
【００５３】
なお、符号２３８、２４２、２６４および２７０は、真空チャンバ、加熱手段、バッファ真空タンクおよび配管系を示している。
【００５４】
以上のように、実施の形態２は、補助吸引の際における減圧手段の制御に適用されるパラメータとして、型締め手段２２０の往復動手段のストロークを適用することが可能である。
【００５５】
図１１は、実施の形態３に係る真空ダイカスト装置を説明するための部分破断斜視図、図１２は、図１１に示される真空ダイカスト装置の制御フローを説明するためのブロック図である。
【００５６】
実施の形態３は、補助吸引の際における減圧手段の制御に適用されるパラメータとして、キャビティの内部の圧力を利用する点で、タイマー手段１９０によって検出される経過時間を利用する実施の形態１と概して異なる。
【００５７】
詳述すると、真空ダイカスト装置３００は、固定型３１０および可動型３１５のキャビティ３１１，３１６の内部の圧力を検出するための圧力検出手段３９０を有する。圧力検出手段３９０は、例えば、静電容量型の真空センサあるいは圧力センサからなり、減圧手段３６０の配管系３７０における配管開閉手段３７２と配管開閉手段３７４との間の配管途中に配置され、かつ、配管開閉手段３７４の近傍に位置している。
【００５８】
圧力検出手段３９０の検出値は、補助吸引の際に、保持炉３４０の溶湯Ｍが、給湯管２５０を経由して射出スリーブ３３２（射出手段３３０）およびキャビティ３１１，３１６に供給されないように、減圧手段３６０を制御するために使用される。つまり、制御手段３８０は、圧力検出手段３９０によって検出される圧力が、所定の値に到達すると、補助吸引を停止するように、減圧手段３６０を制御する。
【００５９】
キャビティ３１１，３１６の内部の圧力は、実施の形態１に係る図２において示されるように、到達した値に応じて、溶湯の逆流開始および溶湯の吸引開始を引き起こす。したがって、減圧手段３６０を制御するための所定の値として、溶湯の逆流開始を引き起こす圧力より若干大きな圧力の値を、直接適用することが可能である。
【００６０】
次に、実施の形態３に係る真空ダイカスト方法を説明する。
【００６１】
配管開閉手段３７２，３７４が「閉」に設定された状態で、真空ポンプ３６２が稼働される。そして、配管開閉手段３７２，３７４が順次「開」に設定され、補助減圧が開始される。
【００６２】
型締め手段３２０の往復動手段によって、可動型３１５が固定されるプラテン３１８を固定型３１０に向かって駆動することで、可動型３１５は、固定型３１０に向かって前進し、型締めが開始される。また、減圧手段３６０の配管系３７０に配置される圧力検出手段３９０が、キャビティ３１１，３１６の内部の圧力の検出を開始する。
【００６３】
この際、補助減圧により、キャビティ３１１，３１６の内部の空気が補助吸引されることにより、当該空気が、射出スリーブ３３２を経由して給湯管３５０および保持炉３４０に逆流することが抑制される。
【００６４】
圧力検出手段３９０によって検出される圧力が、所定の値に到達すると、配管開閉手段３７４が「閉」に設定され、補助減圧が停止される。これにより、キャビティ３１１，３１６の内部の圧力が、過度に低下しないように制御される。つまり、保持炉３４０の溶湯Ｍが、給湯管３５０を経由して射出スリーブ３３２およびキャビティ３１１，３１６の内部に供給されないように、制御される。
【００６５】
そして、可動型３１５が型締め限に到達し、型締めが完了すると、配管開閉手段３７４が「開」に切り替えられ、本減圧が開始される。本減圧においては、キャビティ３１１，３１６の内部の空気が本吸引されることにより、保持炉３４０の溶湯Ｍの吸引が開始され、給湯管３５０を経由し、射出スリーブ３３２に導入される。
【００６６】
射出スリーブ３３２の内部の溶湯Ｍが、成形品を形成するための所定量に到達すると、ピストンロッド３３６が駆動される。ピストンロッド３３６の前方に配置される射出チップ３３４は、キャビティ３１１，３１６の内部に向かって溶湯Ｍを射出し、成形品が鋳造される。
【００６７】
なお、符号３３８、３４２および３６４は、真空チャンバ、加熱手段およびバッファ真空タンクを示している。
【００６８】
以上のように、実施の形態３は、補助吸引の際における減圧手段の制御に適用されるパラメータとして、キャビティの内部の圧力を適用することが可能である。
【００６９】
なお、圧力検出手段３９０は、配管開閉手段３７２と配管開閉手段３７４との間の配管途中に配置されることに限定されず、例えば、キャビティ３１１，３１６の一方に凹部を形成し、当該凹部に配置することも可能である。
【００７０】
本発明は、上述した実施の形態に限定されるものではなく、特許請求の範囲の範囲内で種々改変することができる。
【００７１】
例えば、補助吸引の際における減圧手段の制御のためのパラメータは、タイマー手段によって検出される経過時間、型締め手段の往復動手段のストローク、および、キャビティの内部の圧力に限定されず、固定型（第１金型）と可動型（第２金型）の離間距離を利用することも可能である。
【図面の簡単な説明】
【００７２】
【図１】実施の形態１に係る真空ダイカスト装置を説明するための部分破断斜視図である。
【図２】実施の形態１に係る補助吸引を説明するためのグラフである。
【図３】図１に示される真空ダイカスト装置の制御フローを説明するためのブロック図である。
【図４】図１に示される真空ダイカスト装置の制御フローを説明するためのグラフである。
【図５】図１に示される真空ダイカスト装置における本減圧経過時間と溶湯吸引量との関係を示しているグラフである。
【図６】比較例に係る制御フローを説明するためのブロック図である。
【図７】比較例における減圧経過時間と溶湯吸引量との関係を示しているグラフである。
【図８】実施の形態２に係る真空ダイカスト装置を説明するための部分破断斜視図である。
【図９】実施の形態２に係る真空ダイカスト装置の制御フローを説明するためのブロック図である。
【図１０】実施の形態２に係る補助吸引を説明するためのグラフである。
【図１１】実施の形態３に係る真空ダイカスト装置を説明するための部分破断斜視図である。
【図１２】図１１に示される真空ダイカスト装置の制御フローを説明するためのブロック図である。
【符号の説明】
【００７３】
１００・・真空ダイカスト装置、
１１０・・固定型、
１１１・・キャビティ、
１１３・・プラテン、
１１５・・可動型、
１１６・・キャビティ、
１１８・・プラテン、
１２０・・型締め手段、
１３０・・射出手段、
１３２・・射出スリーブ、
１３３・・先端、
１３４・・射出チップ、
１３６・・ピストンロッド、
１３８・・真空チャンバ、
１４０・・保持炉、
１４２・・加熱手段、
１５０・・給湯管、
１５２・・加熱手段、
１５２・・固定治具、
１６０・・減圧手段、
１６２・・真空ポンプ、
１６４・・バッファ真空タンク、
１７０・・配管系、
１７２，１７４・・配管開閉手段、
１８０・・制御手段、
１９０・・タイマー手段、
２００・・真空ダイカスト装置、
２１０・・固定型、
２１１・・キャビティ、
２１５・・可動型、
２１６・・キャビティ、
２１８・・プラテン、
２２０・・型締め手段、
２３０・・射出手段、
２３２・・射出スリーブ、
２３４・・射出チップ、
２３６・・ピストンロッド、
２３８・・真空チャンバ、
２４０・・保持炉、
２４２・・加熱手段、
２５０・・給湯管、
２６０・・減圧手段、
２６２・・真空ポンプ、
２６４・・バッファ真空タンク、
２７０・・配管系、
２７２，２７４・・配管開閉手段、
２８０・・制御手段、
２９０・・ストローク検出手段、
３００・・真空ダイカスト装置、
３１０・・固定型、
３１１・・キャビティ、
３１５・・可動型、
３１６・・キャビティ、
３１８・・プラテン、
３２０・・型締め手段、
３３０・・射出手段、
３３２・・射出スリーブ、
３３４・・射出チップ、
３３６・・ピストンロッド、
３３８・・真空チャンバ、
３４０・・保持炉、
３４２・・加熱手段、
３５０・・給湯管、
３６０・・減圧手段、
３６２・・真空ポンプ、
３６４・・バッファ真空タンク、
３７０・・配管系、
３７２，３７４・・配管開閉手段、
３８０・・制御手段、
３９０・・圧力検出手段、
Ｍ・・溶湯。
【図１】
2008296276.tif 000003
【図２】
2008296276.tif 000004
【図３】
2008296276.tif 000005
【図４】
2008296276.tif 000006
【図５】
2008296276.tif 000007
【図６】
2008296276.tif 000008
【図７】
2008296276.tif 000009
【図８】
2008296276.tif 000010
【図９】
2008296276.tif 000011
【図１０】
2008296276.tif 000012
【図１１】
2008296276.tif 000013
【図１２】
2008296276.tif 000014